(57)【要約】【課題】患者の患部に中性子線を照射する場合に、正常細胞への放射線ダメージをより低減できるＢＮＣＴ治療装置、およびＢＮＣＴ治療方法を提供する。【解決手段】ＢＮＣＴ治療装置は、加速器中性子源と、加速器中性子源が発生する中性子を減速させる減速体とを備え、患者にはホウ素薬剤が投与され、減速体が減速させた中性子が患者の患部へ照射されることによる患者の患部の吸収線量によって、薬剤治療効果比（ＣＢＥ）が４以上となる。【選択図】図１
2019216872.tif 000002
【特許請求の範囲】
【請求項１】
加速器中性子源と、
前記加速器中性子源が発生する中性子を減速させる減速体と
を備え、
患者にはホウ素薬剤が投与され、前記減速体が減速させた前記中性子が前記患者の患部へ照射されることによる前記患者の前記患部の吸収線量によって、薬剤治療効果比（ＣＢＥ）が４以上となる、ＢＮＣＴ治療装置。
【請求項２】
前記患者の前記患部の吸収線量が０．５Ｇｙ以上２Ｇｙ以下である、請求項１に記載のＢＮＣＴ治療装置。
【請求項３】
治療に必要な治療線量を、照射回数で除算することで得られる治療線量となるように、前記中性子が、前記患部へ照射される、請求項１又は請求項２に記載のＢＮＣＴ治療装置。
【請求項４】
前記中性子は、前記患部へ複数回数照射される、請求項１から請求項３のいずれか一項に記載のＢＮＣＴ治療装置。
【請求項５】
前記中性子は、前記患部周辺の正常な細胞が、放射線によるダメージから回復する期間以上をあけて複数回数照射される、請求項１から請求項４のいずれか一項に記載のＢＮＣＴ治療装置。
【請求項６】
前記中性子を複数回数照射することによって前記患者の前記患部の治療線量の総計が、３０ＧｙＥから７０ＧｙＥとなる、請求項４又は請求項５に記載のＢＮＣＴ治療装置。
【請求項７】
加速器中性子源が発生する中性子を減速させ、
減速させた前記中性子が、ホウ素薬剤が投与された患者の患部へ照射されることによる前記患部の吸収線量によって、薬剤治療効果比が４以上となる、ＢＮＣＴ治療装置が実行するＢＮＣＴ治療方法。
【発明の詳細な説明】
【技術分野】
【０００１】
本発明の実施形態は、ＢＮＣＴ治療装置、およびＢＮＣＴ治療方法に関する。
【背景技術】
【０００２】
ホウ素中性子捕捉療法（ＢＮＣＴ：Ｂｏｒｏｎ  Ｎｅｕｔｒｏｎ  Ｃａｐｔｕｒｅ  Ｔｈｅｒａｐｙ）が知られている（例えば、非特許文献１、２参照）。
ＢＮＣＴは、がん細胞に集積する特性を持つホウ素薬剤を患者に投与し、原子炉や加速器から発生する中性子線を患部に照射し、がん細胞を選択的に破壊する治療法である。
【０００３】
従来のＢＮＣＴでは、治療線量が、例えば４０ＧｙＥ〜６０ＧｙＥ程度となるように、中性子線を原則として一回照射する治療プロトコルが採用されている。ここで、治療線量は、ホウ素薬剤を取り込んだ組織への中性子線の照射による当該組織の吸収線量に対して、当該ホウ素薬剤についての薬剤治療効果比（Ｃｏｍｐｏｕｎｄ  Ｂｉｏｌｏｇｉｃａｌ  Ｅｆｆｅｃｔｉｖｅｎｅｓｓ：ＣＢＥ）を乗じることによって算出される線量のことである。つまり、治療線量は、吸収線量とＣＢＥとの積によって表される。
ホウ素薬剤としてＢＰＡ（Ｂｏｒｏｎｏ−ｐｈｅｎｙｌａｌａｎｉｎｅ、ボロノフェニルアラニン）を使った場合、腫瘍部の吸収線量が２０Ｇｙ〜３０Ｇｙ程度となるように中性子線を腫瘍部に対して照射すると、ＢＰＡのＣＢＥは、およそ２となるため、４０ＧｙＥ〜６０ＧｙＥ程度の治療線量が得られることになる。
【先行技術文献】
【非特許文献】
【０００４】
【非特許文献１】増永慎一郎、鈴木実、田野恵三、真田悠生、小野公二、「治療生物学的および放射線治療医的視点から見た中性子補足療法の特性」、口腔腫瘍  ２８巻３号、１３４−１４７頁、２０１６
【非特許文献２】Tatsuhiko Sato, Shin-ichiro Masunaga, Hiroaki Kumada & Nobuyuki Hamada, 「Microdosimetric Modeling of Biological Effectiveness for Boron Neutron Capture Therapy Considering Intra- and Intercellular Heterogeneity in 10B Distribution」, Scientific Reports volume 8, Article number: 988 (2018)
【発明の概要】
【発明が解決しようとする課題】
【０００５】
このように、従来のＢＮＣＴでは、腫瘍部の吸収線量が数十Ｇｙとなるような中性子線を原則一回照射する治療プロトコルが採用されている。腫瘍部の吸収線量が数十Ｇｙとなるような中性子線を照射した場合には、ＢＰＡについてのＣＢＥは、２程度と低い値となる。正常細胞のＣＢＥは１．３程度であるため、腫瘍細胞への放射線ダメージに比べ、正常細胞の放射線ダメージも大きくなってしまう。また原則一回照射の治療プロトコルでは腫瘍細胞と正常細胞の放射線ダメージ回復期間の違いを利用して、腫瘍細胞のみへの放射線ダメージを大きくするという放射線治療の一般的な手法が適用できない。このため、当該ＢＮＣＴでは、合併症の発生率が高くなる。
本発明は、前述した点に鑑みてなされたものであり、その目的は、患者の患部に中性子線を照射する場合に、正常細胞への放射線ダメージをより低減できるＢＮＣＴ治療装置、およびＢＮＣＴ治療方法を提供することである。
【課題を解決するための手段】
【０００６】
本発明の一態様は、加速器中性子源と、前記加速器中性子源が発生する中性子を減速させる減速体とを備え、患者にはホウ素薬剤が投与され、前記減速体が減速させた前記中性子が前記患者の患部へ照射されることによって前記患者の前記患部の吸収線量によって、薬剤治療効果比（ＣＢＥ）が４以上となる、ＢＮＣＴ治療装置である。
本発明の一態様のＢＮＣＴ治療装置において、前記患者の前記患部の吸収線量が０．５Ｇｙ以上２Ｇｙ以下である。
本発明の一態様のＢＮＣＴ治療装置において、治療に必要な治療線量を、照射回数で除算することで得られる治療線量となるように、前記中性子が、前記患部へ照射される。
本発明の一態様のＢＮＣＴ治療装置において、前記中性子は、前記患部へ複数回数照射される。
本発明の一態様のＢＮＣＴ治療装置において、前記中性子は、前記患部周辺の正常な細胞が、放射線によるダメージから回復する期間以上をあけて複数回数照射される。
本発明の一態様のＢＮＣＴ治療装置において、前記中性子を複数回数照射することによって前記患者の前記患部の治療線量の総計が、３０ＧｙＥから７０ＧｙＥとなる。
本発明の一態様は、加速器中性子源が発生する中性子を減速させ、減速させた前記中性子が、ホウ素薬剤が投与された患者の患部へ照射されることによって前記患部の吸収線量によって、薬剤治療効果比が４以上となる、ＢＮＣＴ治療装置が実行するＢＮＣＴ治療方法である。
【発明の効果】
【０００７】
本発明の実施形態によれば、患者の患部に中性子線を照射する場合に、正常細胞への放射線ダメージをより低減できるＢＮＣＴ治療装置、およびＢＮＣＴ治療方法を提供できる。
【図面の簡単な説明】
【０００８】
【図１】実施形態のＢＮＣＴ治療装置の一例を示す図である。
【図２】線量とＣＢＥとの関係の一例を示す図である。
【図３】実施形態のＢＮＣＴ治療装置が照射した中性子による線量の一例を示す図である。
【図４】本実施形態のＢＮＣＴ治療装置を使用した治療プロトコルの一例を示すフローチャートである。
【発明を実施するための形態】
【０００９】
次に、本実施形態のＢＮＣＴ治療装置、およびＢＮＣＴ治療方法を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００１０】
（実施形態）
（ＢＮＣＴ治療装置）
図１は、実施形態のＢＮＣＴ治療装置１００の一例を示す図である。以下では、一例として、ホウ素薬剤がＢＰＡである場合について説明する。ここで、ＢＰＡは、１０Ｂを含んだ化合物である。また、以下では、説明の便宜上、患者の患部のうち、がん細胞を含む部分を腫瘍部又は単に腫瘍と称し、がん細胞を含まない部分を正常組織と称して説明する。また、以下では、説明の便宜上、患者の患部が有する細胞のうち、がん細胞ではない細胞を、正常細胞と称して説明する。
ＢＮＣＴ治療装置１００は、ＢＰＡを投与した患者の患部へ、吸収線量が０．５Ｇｙ以上２Ｇｙ以下となる強度の中性子線を、複数回照射する。例えば、この強度の中性子線が患部周辺の正常細胞に照射された場合において、中性子線の照射による放射線ダメージから正常細胞が回復する期間に基づいて決定される所定の期間空けて、複数回に分けて照射される。この所定の期間は、一例として、一日〜二日である。
具体的には、ＢＮＣＴにおいて、点滴などで患者ＰＡにＢＰＡが投与されると、患者ＰＡの腫瘍部が、投与されたＢＰＡを取り込む。ＢＰＡを取り込んだ腫瘍部に中性子（熱中性子）が照射されると、腫瘍部内でホウ素と中性子との核反応で放射線（例えば、アルファ線、７Ｌｉなど）が発生する。発生した放射線は、腫瘍部にダメージを与える。その結果、ＢＮＣＴでは、腫瘍部が高い選択性で破壊される。
ＢＮＣＴ治療装置１００は、加速器中性子源１０１と、減速体１０２とを備える。減速体１０２の一例は、厚さ１０［ｃｍ］〜２０［ｃｍ］のフッ化アルミニウム（ＡｌＦ３）を含んで構成される。
加速器中性子源１０１は、中性子を発生させ、発生させた中性子を加速させる。加速器中性子源１０１の一例は、静電加速器を含んで構成される。ここで、加速器中性子源１０１の中性子源強度は、４．０×１０１０〜８．０×１０１０［ｎｅｕｔｒｏｎｓ／ｓｅｃ］程度である。
減速体１０２は、加速器中性子源１０１が発生した中性子を、治療に最適なエネルギーまで減速させる。減速体１０２により減速された中性子は、患者ＰＡの腫瘍に照射される。図１に示される例では、患者ＰＡが、脳腫瘍ＢＴの患者であり、中性子が、患者ＰＡの頭部の皮膚表面ＳＳの所定の領域から、脳腫瘍ＢＴへ照射される。
【００１１】
（吸収線量とＣＢＥとの関係）
図２は、吸収線量とＣＢＥとの関係の一例を示す図である。ここで、ＣＢＥとは、薬剤治療効果比である。
図２には、ＢＰＡを取り込んだ腫瘍細胞に対して中性子線を照射した場合における当該細胞の吸収線量と、ＢＰＡについてのＣＢＥとの関係が示されている。
図２によれば、吸収線量の変化に対してＣＢＥの変化が大きい領域と、吸収線量の変化に対してＣＢＥの変化が小さい領域とがあることが分かる。以下、吸収線量の変化に対してＣＢＥの変化が大きい領域を線量依存領域（ＤＤＲ）という。吸収線量の変化に対してＣＢＥの変化が小さい領域を線量非依存領域（ＮＤＤＲ）という。図２に示した例では、線量依存領域は、０Ｇｙ以上４Ｇｙ未満の領域であり、線量非依存領域は、４Ｇｙ以上の領域である（例１）。つまり、同図に示した一例の場合、線量依存領域と、線量非依存領域とを分ける閾値ｔｈ１は、４Ｇｙである。ただし、これは一例であって、線量依存領域は、０．５Ｇｙ以上２Ｇｙ以下の領域であり、線量非依存領域は、２Ｇｙより大きい領域であってもよい（例２）。つまり、この場合閾値ｔｈ２が２Ｇｙであってもよい。
また、線量依存領域は、吸収線量に対するＣＢＥの変化率（すなわち、同図に示すグラフの傾き）によって規定されてもよい。この場合、線量依存領域とは、吸収線量に対するＣＢＥの変化率が変化率閾値以上の領域であり、線量非依存領域とは、吸収線量に対するＣＢＥの変化率が変化率閾値未満の領域であってもよい。以下、線量依存領域を、０．５Ｇｙ以上２Ｇｙ以下の領域とした場合、つまり上述の例２を一例として説明を続ける。
【００１２】
実施形態のＢＮＣＴ治療装置１００は、ＢＰＡを投与した患者ＰＡの患部へ中性子線を照射する場合において、当該患部の吸収線量が、線量依存領域の吸収線量となるような強度の中性子線を、当該患部へ照射する。具体的には、ＢＮＣＴ治療装置１００は、例えば、０．５Ｇｙ以上２Ｇｙ以下の吸収線量（すなわち、図２示した線量依存領域に含まれる吸収線量）となるように、照射線量を制御して、中性子線を照射する。上述の一例の場合には、当該患部の吸収線量が０．５Ｇｙ以上２Ｇｙ以下である場合、ＢＰＡについてのＣＢＥは、図２に示したように、４以上６以下であることが知られている。このように、ＢＮＣＴ治療装置１００は、当該患部の吸収線量を小さくすることによって、従来技術と比較して、ＢＰＡについてのＣＢＥを大きくできる。
【００１３】
次に、腫瘍部の治療線量と正常組織の治療線量とについて説明する。
図３は、実施形態のＢＮＣＴ治療装置１００が、患者ＰＡの患部へ、中性子線を照射した場合の線量の一例を示す図である。ここで、ＢＮＣＴ治療装置１００から中性子線が患者ＰＡの患部に照射された場合、中性子と当該患部に含まれる水素原子核、窒素原子核、ＢＰＡに含まれるホウ素原子核が核反応を起こし、核反応の結果生じた陽子線、炭素原子核線、アルファ線、リチウム原子核線などの高エネルギー粒子線が患部組織にエネルギーを付与する。また、この場合、当該患部には、ＢＮＣＴ治療装置１００による中性子線の照射に伴って生成されたガンマ線のうちの一部のガンマ線のエネルギーが吸収される。
図３の（１）は、ＢＮＣＴ治療装置１００が、ＢＰＡが投与された患者ＰＡの腫瘍部に中性子線を照射した場合における単位時間あたりの腫瘍組織の吸収線量［Ｇｙ／ｈｒ］を示す。図３の（２）は、ＢＮＣＴ治療装置１００が、ＢＰＡが投与された患者ＰＡの腫瘍部に中性子線を照射した場合における単位時間あたりの腫瘍組織の治療線量［ＧｙＥ／ｈｒ］を示す。図３の（３）は、ＢＮＣＴ治療装置１００が、正常組織に中性子線を照射した場合における単位時間あたりの正常組織の吸収線量［Ｇｙ／ｈｒ］を示す。図３の（４）は、ＢＮＣＴ治療装置１００が、正常組織に中性子線を照射した場合における単位時間あたりの正常組織の治療線量［ＧｙＥ／ｈｒ］を示す。
【００１４】
図３の（２）によれば、皮膚表面からの距離が３ｃｍ程度で、治療線量のピークが７ＧｙＥ／ｈｒ程度となる。図３の（４）によれば、皮膚表面からの距離が３ｃｍ程度のときの治療線量は０．１ＧｙＥ／ｈｒ程度となる。
これにより、１回あたりの中性子線の照射によって、腫瘍部への放射線ダメージと、正常組織への放射線ダメージとの差を大きくできていることが分かる。さらに、ＢＮＣＴ治療装置１００は、１日〜２日程度の間隔で中性子線照射を複数回繰り返すことで、腫瘍細胞と正常細胞の放射線ダメージ回復力の違いを利用しながら、患者ＰＡの正常細胞を保護しつつ、選択的に腫瘍部の破壊を行う。例えば、本実施形態のＢＮＣＴ治療装置１００では、正常組織がダメージから回復する期間である１日から２日の間隔をあけて、１回あたりの治療線量が１０ＧｙＥ程度となるように、中性子線を５回、すなわち総計５０ＧｙＥの照射を行う。このように構成することで、腫瘍部がダメージから回復する期間と正常組織がダメージから回復する期間との違いを利用して、正常組織への悪影響が極小化された安全な治療を行うことができる。
【００１５】
ここで、従来の治療プロトコルが与えられた場合のＢＮＣＴ治療装置１００の動作の一例について説明する。
ＢＮＣＴ治療装置１００は、患者ＰＡの患部へ、吸収線量が０．５Ｇｙ以上２Ｇｙ以下となる強度の中性子線を、複数回数照射する。
ここで、患者ＰＡの患部に対して中性子線を複数回数照射することによる治療線量の積算値［ＧｙＥ］をＲ１とし、中性子線の照射回数をＮ［回］とし、１回あたりの中性子線の照射による当該患部の吸収線量［Ｇｙ］をＲ２とし、その吸収線量によるＣＢＥをＣとした場合、以下の式（１）が成り立つ。
【００１６】
Ｒ１＝Ｒ２×Ｎ×Ｃ      （１）
【００１７】
この一例では、ＢＮＣＴ治療装置１００を用いて治療に当たる医師が、Ｒ１とＲ２とを決めた場合のＢＮＣＴ治療装置１００の動作について説明する。例えば、医師が、Ｒ１として５０ＧｙＥと、Ｒ２として２Ｇｙとを、ＢＮＣＴ治療装置１００に与えた場合、ＢＮＣＴ治療装置１００は、Ｃが、図２に示したようなグラフに基づいて、およそ４．４であることを特定する。この場合、Ｎは、およそ５．７となる。このため、ＢＮＣＴ治療装置１００は、当該場合において、Ｒ１が１０Ｇｙとなる強度の中性子線の照射を、患者ＰＡの患部に対して、６回所定の期間が経過する毎に行う。これにより、ＢＮＣＴ治療装置１００は、Ｒ２がおよそ５０ＧｙＥとなる治療を患者ＰＡに対して行うことができる。
ここで、Ｒ２、Ｒ１、Ｃ、ＮのうちのＲ１とＣとは、互いに従属パラメーターであり、一方が指定された場合、他方が一意に決まる。このため、ＢＮＣＴ治療装置１００は、Ｒ２、Ｒ１、Ｎ（又は、Ｒ２、Ｎ、Ｃ）のうちの２つのパラメーターを指定することにより、残り１つのパラメーターを導出する。そして、ＢＮＣＴ治療装置１００は、導出した１つのパラメーターと、指定された２つのパラメーターとによって決まる照射条件に基づいて、患者ＰＡの患部に対して治療を行う。以下では、ＢＮＣＴ治療装置１００が照射条件を導出する動作について説明する。
【００１８】
（ＢＮＣＴ治療装置１００の具体的な動作）
図４は、本実施形態のＢＮＣＴ治療装置１００の動作の一例を示すフローチャートである。ここでは、患者ＰＡにＢＰＡが投与された後の動作について説明する。
（ステップＳ１）
ＢＮＣＴ治療装置１００は、治療プロトコルを取得する。例えば、ＢＮＣＴ治療装置１００は、前述のＲ１、Ｒ２、Ｎ（又は、Ｒ２、Ｎ、Ｃ）とのうちの、いずれか２つのパラメーターを、治療プロトコルとして取得する。
(ステップＳ２)
ＢＮＣＴ治療装置１００は、ステップＳ１で取得した治療プロトコルに基づいて、前述した式（１）に基づいて、照射条件を導出する。これによって、ＢＮＣＴ治療装置１００では、Ｒ１と、Ｒ２と、Ｃと、Ｎとの４つのパラメーターが決まる。すなわち、ＢＮＣＴ治療装置１００では、照射条件が決まる。
(ステップＳ３)
ＢＮＣＴ治療装置１００は、ステップＳ２で導出した照射条件となるように、中性子線を照射する。具体的には、ＢＮＣＴ治療装置１００は、患者ＰＡの患部に対する１回の中性子線の照射による当該患部の吸収線量がＲ２［Ｇｙ］となる強度の中性子線を照射する。
（ステップＳ４）
ＢＮＣＴ治療装置１００は、Ｎ回の照射を実施したか否かを判定する。ＢＮＣＴ治療装置１００は、Ｎ回の照射を実施したと判定した場合には、終了する。
(ステップＳ５)
ＢＮＣＴ治療装置１００は、Ｎ回の照射を実施していないと判定した場合には、前述の所定の期間が経過したか否かを判定する。ＢＮＣＴ治療装置１００は、所定の期間が経過していないと判定した場合には、ステップＳ５へ戻る。ＢＮＣＴ治療装置１００は、所定の期間が経過していると判定した場合には、ステップＳ３へ戻る。
【００１９】
前述した実施形態では、ホウ素薬剤の一例としてＢＰＡについて説明したがこの限りでない。例えば、ＢＳＨ（Ｄｉｓｏｄｉｕｍ  ｍｅｒｃａｐｔｏｕｎｄｅｃａｈｙｄｒｏｄｏｄｅｃａｂｏｒａｔｅ）についても適用できる。
実施形態のＢＮＣＴ治療装置１００によれば、ＢＮＣＴ治療装置１００は、加速器中性子源と、加速器中性子源が発生した中性子を減速させる減速体とを備え、ホウ素薬剤が投与された患者ＰＡの患部へ、患部の吸収線量が従来よりも低い０．５Ｇｙ以上２Ｇｙ以下となるように中性子を照射する。患部の吸収線量を０．５Ｇｙ以上２Ｇｙ以下とすることによって、ＣＢＥを４以上と従来よりも高い値にできるため、患部の吸収線量を低くした度合いに比して、患部の治療線量を高くできる。そして、治療に必要な治療線量の積算値に基づいて、同様の照射を１日から２日などの所定の期間開けて複数回数行う。
具体的には、ＢＮＣＴ治療装置１００は、患部の吸収線量が０．５Ｇｙ以上２Ｇｙ以下となる中性子線の照射を、１日〜２日間隔で複数回実施する。これにより、ＢＮＣＴ治療装置１００は、治療に必要な３０ＧｙＥ以上７０ＧｙＥ以下の治療線量の積算値を確保することができ、患部のうちの正常細胞を保護しつつ、選択的に腫瘍部の破壊を行うことができる。
また、ＢＮＣＴ治療装置１００は、患部の吸収線量が０．５Ｇｙ以上２Ｇｙ以下となる中性子線の照射を複数回数繰り返し腫瘍組織に行うため、出力の小さな小型加速器中性子源でも十分な治療線量が確保できる。このため、ＢＮＣＴ治療装置１００は、製造コストの増大を抑制することができる。具体的には、従来のＢＮＣＴ治療装置は、１．２×１０１２［ｎｅｕｔｒｏｎｓ／ｓ］程度の強度の中性子線を照射可能な加速器中性子線源を備える必要があった。一方、本実施形態に係るＢＮＣＴ治療装置１００は、４．０×１０１０〜８．０×１０１０［ｎｅｕｔｒｏｎｓ／ｓｅｃ］程度の強度の中性子線を照射可能な加速器中性子線源を備える構成であればよい。このため、ＢＮＣＴ治療装置１００は、従来のＢＮＣＴ治療装置よりも安価に製造することができる。
また、実施形態のＢＮＣＴ治療装置１００によれば、腫瘍部の治療線量と正常組織の治療線量との比率を大きくできるため、正常組織へのダメージを小さくできる。このため、ＢＮＣＴ治療装置１００は、合併症の発生率を低減することができる。
なお、従来技術では、原子炉を使用したＢＮＣＴ治療装置での治療実績に基づいた治療プロトコルを採用している。原子炉を使用したＢＮＣＴ治療装置では、施設的な制約条件から、３０ＧｙＥ〜７０ＧｙＥを一度に照射する治療プロトコルを採用していた。このため、中性子源から加速器中性子源になって施設的な制約がなくなったにもかかわらず、従来技術では、効率的でかつ合併症の発生率の小さな分割治療照射プロトコルは採用されていなかった。一方、本実施形態のＢＮＣＴ治療装置１００は、従来のプロトコルによる吸収線量（例えば１０Ｇｙ）よりも低減された吸収線量（例えば０．５Ｇｙ〜２Ｇｙ）となる中性子線の照射を複数回数に分けて行うことにより、治療線量の積算値が従来の一度の照射による治療線量と同等の治療線量（例えば３０ＧｙＥ〜７０ＧｙＥ）となるようにする分割治療照射プロトコルを採用できる。
【００２０】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
【符号の説明】
【００２１】
１００…ＢＮＣＴ治療装置、１０１…加速器中性子源、１０２…減速体
【図１】
2019216872.tif 000003
【図２】
2019216872.tif 000004
【図３】
2019216872.tif 000005
【図４】
2019216872.tif 000006